(57)【要約】【解決手段】上部フレーム１と、底部２と、上部フレームにその上端部が枢支されたはね上げ側壁３と、上部分割側壁４’と下部分割側壁４”とを有する分割側壁４とからなる折り畳みコンテナーにおいて、上部フレームに、内側方向に延在する張出部５、６を突設したものである。【効果】上部フレームに、内側方向に延在する張出部を突設したので、折り畳みコンテナーを引きずって移送する場合に、折り畳みコンテナーの上部フレームに突設された張出部に、指を引っ掛けて引きずることができるので、確実に、折り畳みコンテナーを引きずって移送することができる。【選択図】図１
2004161321.tif 000002
【特許請求の範囲】
【請求項１】
上部フレームと、底部と、上部フレームにその上端部が枢支されたはね上げ側壁と、上部分割側壁と下部分割側壁とを有する分割側壁とからなる折り畳みコンテナーにおいて、上部フレームに、内側方向に延在する張出部を突設したことを特徴とする折り畳みコンテナー。
【発明の詳細な説明】
【０００１】
【発明の属する技術分野】
本発明は、種々の物品の保管、輸送或いは搬送等に使用される折り畳みコンテナーに関するものである。
【０００２】
【従来の技術】
従来、額縁状の上部フレームと、底部と、上部フレームにその上端部がヒンジ連結された、折り畳みコンテナーの内側方向に回動可能な側壁（以下、この側壁を、はね上げ側壁という。）と、上下に分割されているとともに、適当なヒンジ部を介して連結された側壁（以下、この側壁を、分割側壁という。）とを有しており、分割側壁は、ヒンジ部を挟んで上方に位置する上部分割側壁と、ヒンジ部を挟んで下方に位置する下部分割側壁とから構成されており、且つ、上部分割側壁の上端部が、上部フレームにヒンジ連結されており、また、下部分割側壁の下端部が、底部にヒンジ連結されている折り畳みコンテナーが知られている（例えば、特許第３００７５１３号公報、実開平３−８１８２６号公報等）。
【０００３】
箱型状態の折り畳みコンテナーの略垂直状のはね上げ側壁を、折り畳みコンテナーの内部方向に回動させて略水平状態とし、次いで、分割側壁を構成する上部分割側壁と下部分割側壁を連結しているヒンジ部を、折り畳みコンテナーの内部方向に移動させて、上部分割側壁と下部分割側壁とを重ねることにより、箱型状態の折り畳みコンテナーを、高さの低いコンパクトな状態に折り畳むことができるように構成されている。また、底部に対して上部フレームを持ち上げて、略水平状態に重ねられている上部分割側壁と下部分割側壁を、互いに略面一になるように略垂直に立て、次いで、上部フレームに、その上端部がヒンジ連結されているはね上げ側壁を、略水平状態から垂直方向に回動させることにより、折り畳まれた状態の折り畳みコンテナーを、箱型に組み立てるように構成されている。
【０００４】
【発明が解決しようとする課題】
従来より、箱型に組み立てられた折り畳みコンテナーを引きずって移送する場合に、折り畳みコンテナーの上部フレームの内壁に、親指以外の４本の指を当てて、手で、折り畳みコンテナーを引きずることが行われているが、従来の折り畳みコンテナーの上部フレームの内壁には、指が引っ掛かるようなものがないので、指が滑って、折り畳みコンテナーの引きずり作業がうまく行えないという問題があった。
【０００５】
本発明の目的は、上述した従来の折り畳みコンテナーが有する課題を解決することにある。
【０００６】
【課題を解決するための手段】
本発明は、上述した目的を達成するために、上部フレームと、底部と、上部フレームにその上端部が枢支されたはね上げ側壁と、上部分割側壁と下部分割側壁とを有する分割側壁とからなる折り畳みコンテナーにおいて、上部フレームに、内側方向に延在する張出部を突設したものである。
【０００７】
【実施例】
以下に、本発明の実施例について説明するが、本発明の趣旨を越えない限り何ら、本実施例に限定されるものではない。
【０００８】
本発明の折り畳みコンテナーも、上述した従来の折り畳みコンテナーと同様に、額縁状の上部フレーム１と、底部２と、上部フレーム１にその上端部がヒンジ連結されたはね上げ側壁３と、上下に分割されているとともに、適当なヒンジ部を介して連結された分割側壁４とを有しており、分割側壁４は、ヒンジ部を挟んで上方に位置する上部分割側壁４’と、ヒンジ部を挟んで下方に位置する下部分割側壁４”とから構成されており、且つ、上部分割側壁４’の上端部が、上部フレーム１にヒンジ連結されており、また、下部分割側壁４”の下端部が、底部２にヒンジ連結されている。
【０００９】
図１に示されているように、箱型状態の折り畳みコンテナーの略垂直状のはね上げ側壁３を、折り畳みコンテナーの内部方向に回動させて、図２に示されているように、略水平状態とし、次いで、分割側壁４を構成する上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図３に示されているように、高さの低いコンパクトな状態に折り畳むことができるように構成されている。また、底部２に対して上部フレーム２を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【００１０】
上部フレーム１は、上部分割側壁４’の上端部がヒンジ連結されている、相対する長辺枠１ａと、はね上げ側壁３の上端部がヒンジ連結されている、相対する短辺枠１ｂとにより、額縁状に形成されている。
【００１１】
上部フレーム１を構成する長辺枠１ａの上面１ａ１の中央領域には、内側方向に延在する張出部５が、略水平方向に突設されている。また、同様に、上部フレーム１を構成する短辺枠１ｂの上面１ｂ１の中央領域には、内側方向に延在する張出部６が、略水平方向に突設されている。長辺枠１ａの上面１ａ１に突設された張出部５の上面は、長辺枠１ａの上面１ａ１と略面一に形成されていることが好ましく、また、短辺枠１ｂの上面１ｂ１に突設された張出部６の上面も、短辺枠１ｂの上面１ｂ１と略面一に形成されていることが好ましい。
【００１２】
上部フレーム１を構成する長辺枠１ａに、内側方向に延在する張出部５が突設されており、また、上部フレーム１を構成する短辺枠１ｂに、内側方向に延在する張出部６が突設されているので、箱型に組み立てられた折り畳みコンテナーを引きずって移送する場合に、折り畳みコンテナーの上部フレーム１の長辺枠１ａに突設された張出部５或いは短辺枠１ｂに突設された張出部６に、親指以外の４本の指を引っ掛けて引きずることができるので、確実に、箱型に組み立てられた折り畳みコンテナーを引きずって移送することができる。勿論、多数、段積みされた折り畳まれた状態の折り畳みコンテナーを、引きずって移送する場合にも、最上部の折り畳まれた折り畳みコンテナーの上部フレーム１の長辺枠１ａに突設された張出部５或いは短辺枠１ｂに突設された張出部６に、親指以外の４本の指を引っ掛けて引きずることができる。
【００１３】
上述した折り畳みコンテナーの上部フレーム１の長辺枠１ａに突設された張出部５或いは短辺枠１ｂに突設された張出部６の突出量は、２ｍｍ〜６ｍｍとし、好ましくは、３ｍｍ〜５ｍｍとする。張出部５、６の突出量が、２ｍｍ未満であると、張出部５、６への指の引っ掛けが困難となり、また、張出部５、６の突出量が、６ｍｍを越えると、張出部５、６が、折り畳みコンテナーへの物品の出し入れの邪魔になるので好ましくない。
【００１４】
また、上述したように、折り畳みコンテナーの上部フレーム１の長辺枠１ａ或いは短辺枠１ｂに、張出部５、６を形成することにより、上部フレーム１の強度が増大し、従って、上部フレーム１を持って、折り畳みコンテナーを引きずっても、上部フレーム１が損傷するようなことがない。
【００１５】
なお、上述した実施例においては、上部フレーム１を構成する相対する長辺枠１ａ及び相対する短辺枠１ｂのいずれにも、張出部５、６が突設されているが、上部フレーム１を構成する相対する長辺枠１ａのみ、或いは、相対する短辺枠１ｂのみに、張出部５、６を突設するように構成することもできる。
【００１６】
【発明の効果】
本発明は、以上説明したように構成されているので、以下に記載されるような効果を奏する。
【００１７】
上部フレームに、内側方向に延在する張出部を突設したので、折り畳みコンテナーを引きずって移送する場合に、折り畳みコンテナーの上部フレームに突設された張出部に、指を引っ掛けて引きずることができるので、確実に、折り畳みコンテナーを引きずって移送することができる。
【図面の簡単な説明】
【図１】図１は箱型に組み立てられた状態の本発明の折り畳みコンテナーの斜視図である。
【図２】図２は折り畳み途中或いは組み立て途中の本発明の折り畳みコンテナーの斜視図である。
【図３】図３は折り畳まれた状態の本発明の折り畳みコンテナーの斜視図である。
【符号の説明】
１・・・・・・・・上部フレーム
２・・・・・・・・底部
３・・・・・・・・はね上げ側壁
４・・・・・・・・分割側壁
４’・・・・・・・上部分割側壁
４”・・・・・・・下部分割側壁
５、６・・・・・・張出部
【図１】
2004161321.tif 000003
【図２】
2004161321.tif 000004
【図３】
2004161321.tif 000005